(57)【特許請求の範囲】
【請求項１】
複数のグループに区分した複数の小便器の洗滌を行うシステムであって、
各グループ毎に設けられた、一端を給水部に接続するとともに他端をグループに属する小便器に接続する配水系と、
各配水系に設けられた、洗滌水の供給を制御する制御弁と、
各グループ毎の小便器へ供給される洗滌水が、所定時間差をおいて供給されるように各制御弁を制御する制御装置と、
前記給水部側の水圧を検知すると共に検知信号を前記制御装置に出力する水圧検知手段と、を備え、
前記制御装置は、給水部側の水圧が低下した場合、各制御弁による洗滌水供給の時間差が長くなるよう各制御弁を制御することを特徴とする小便器用洗滌システム。
【請求項２】
各配水系は、通過する洗滌水の流量を検知する流量検知手段を備え、
この流量検知手段は前記制御装置に検知信号を出力し、
前記制御装置は、前記流量検知手段からの信号に基づき前記各制御弁を制御することを特徴とする請求項１記載の小便器用洗滌システム。
【発明の詳細な説明】
【０００１】
【発明の属する技術分野】
本発明は小便器の水洗式洗浄システムに関する。
【０００２】
【従来の技術】
複数の小便器を設置した公衆トイレ等における、水洗式便器の洗滌方式には、種々の方式があるが、男子用小便器では、以下の二つの洗滌方式が一般的である。
第１の洗滌方式は、各小便器毎に自動水洗装置を備えたものである。これは、赤外線を利用した人センサを便器の上部に設け、人センサからの信号により、各小便器の利用の都度、給水用電磁弁を制御して当該小便器を洗滌するようにしたものである。なお、一般に小便器の１回の洗滌には、５リットル程度の水を使用している。
【０００３】
第２の洗滌方式は、上水道側に一端側を接続するとともに他端側を各小便器に分岐して接続する配水管と、配水管の途中に介在する弁装置と、を備える洗滌方式である。この洗滌方式によれば、一定時間（例えば１５分）毎に一度に全ての小便器を洗滌することができるが、所定時間毎にのみ洗浄水を流すので、一日当たりの洗浄水の使用量は比較的少なくて済む。
【０００４】
【発明が解決しようとする課題】
しかし、前記第１の洗滌方式では、小便器の使用毎に洗浄水を流すので、一般的な利用数のある公衆トイレでは、一日当たりの洗浄水の量は嵩んでしまう。
【０００５】
また、トイレの利用頻度が高い時間帯では、トイレ内に設置されている複数の男子用小便器が続けて同時に洗浄水を使用することになるので、男子用小便器の配水系統と同一の給水本管に接続する他の配水系統への給水圧力が低下する場合がある。特に水を多く使用する夏期においては、このような給水圧力の低下による不都合が顕れ、女子用トイレ等、他の配水系統の水の出が悪くなることがある。
【０００６】
また、第２の洗滌方式でも、一度に大量の洗滌水を使用するので、前記第１の洗滌方式と同様に給水圧低下に伴う不都合を生じてしまう。
本発明は前記事項に鑑みなされたものであり、節水効果に優れた小便器用洗滌システムを提供することを技術的課題とする。
【０００７】
また、給水系統全体の圧力低下を防止する小便器用洗滌システムを提供することを技術的課題とする。
【０００８】
【課題を解決するための手段】
第１の発明は、複数のグループに区分した複数の小便器の洗滌を行うシステムであって、各グループ毎に設けられた、一端を給水部に接続するとともに他端をグループに属する小便器に接続する配水系と、各配水系に設けられた、洗滌水の供給を制御する制御弁と、各グループ毎の小便器へ供給される洗滌水が、所定時間差をおいて供給されるように各制御弁を制御する制御装置と、を備えることを特徴とする。
【０００９】
第２の発明は、第１の発明において、各配水系は、通過する洗滌水の流量を検知する流量検知手段を備え、この流量検知手段は前記制御装置に検知信号を出力し、前記制御装置は、前記流量検知手段からの信号に基づき前記各制御弁を制御することを特徴とする。
【００１０】
第３の発明は、第１又は第２の発明において、前記給水部側の水圧を検知すると共に検知信号を前記制御装置に出力する水圧検知手段を備え、前記制御装置は、給水部側の水圧が低下した場合、各制御弁による洗滌水供給の時間差が長くなるよう各制御弁を制御することを特徴とする。
【００１１】
【発明の実施の形態】
以下、本発明の小便器用洗滌システムを図１及び図２に示される実施形態について更に詳細に説明する。本実施形態では、小便器を４基備えたシステムについて説明する。
【００１２】
図１に示すように、駅構内等の１箇所のトイレに設置された４基の小便器３は、２基ずつの第１グループ３０と第２グループ４０に区分されている。
基端を上水道本管側に連通する配水本管７の先端は、２つの配水管と接続している。一方は、第１グループ３０に対応する第１配水管８ａであり、他方は、第２グループ４０に対応する第２配水管９ａである。
【００１３】
前記第１配水管８ａは、一端を配水本管７に接続するとともに、他端を第１グループ３０の小便器３ａ，３ａに洗滌水を供給する第１配水分岐管８ｂ，８ｂに接続している。
また、前記第２配水管９ａは、一端を配水本管７に接続するとともに、他端を第２グループ４０の小便器３ｂ，３ｂに洗滌水を供給する第２配水分岐管９ｂ，９ｂに接続している。
【００１４】
なお、前記第１配水分岐管８ｂ，８ｂ及び第２配水分岐管９ｂ、９ｂは、小便器３内に形成された給水路に連通している。
前記第１配水管８ａの途中には、小便器３方向への給水の供給及び停止を制御する第１制御弁ユニット１１が介装されている。この第１制御弁ユニット１１は、第１電磁弁１２を備えており、制御装置２０からの指令により第１電磁弁１２が開閉するようになっている。
【００１５】
また、第１制御弁ユニット１１は、第１配水管８ａ内を通過する洗滌水の流量を検出する第１流量検出部１２を備えている。この第１流量検出部１２は、管内を通過する水流によって駆動される回転翼車を有しており、この回転翼車の回転数を検出することにより、通過流量を検出できるようになっている。通過流量は、回転翼車の１回転毎に送信されるパルス信号を制御装置２０が受信し、単位時間当たりの回転数に基づき計算される。
【００１６】
前記第２配水管９ａの途中にも、第１配水管８ａに設けられた第１制御弁ユニット１１と同様の構成の第２制御弁ユニット２１が介装されている。第２制御弁ユニット２１にも、第２電磁弁２２及び第２流量検出部２３が設けられている。
【００１７】
ここで、制御装置２０の構成を説明する。制御装置２０は、第１制御弁１１及び第２制御弁１２の電磁弁に信号を出力すると共に第１流量検出部１２及び第２流量検出部２２からの信号を入力するＩ／０部と、各種データ処理を行うマイクロプロセッサと、このマイクロプロセッサを動作させるために必要なデータを収容するＲＡＭ(randum access memory)及びＲＯＭ(read only memory)と、これらを接続するバスとを備えている。
【００１８】
次に、制御装置２０の制御を中心に、図２のフローチャートに基づき本システムの動作を説明する。
本システムが起動されると、制御装置２０は、予め設定した所定時間Ｓ（例えば１５分）が経過したか否かを判断する（ステップＳ１０１）。ステップＳ１０１の肯定枝はステップＳ１０２に移行し、否定枝はステップＳ１０１の処理を繰り返す。
【００１９】
ステップＳ１０２では、制御装置２０は、第１制御弁ユニット１１の第１電磁弁１２に指示信号を出力し、第１電磁弁１２を開放して、配水本管７の洗滌水を、配水管８ａから配水分岐管８ｂ、８ｂを通して、第１グループ３０の２つの小便器３ａ，３ａに供給する。この際、制御装置２０は、第１制御弁ユニット１１の第１流量検出部１３からの信号に基づき、所定流量（例えば６リットル）が第１制御弁ユニット１１を通過したと判断したときに、第１電磁弁１２を閉鎖して、小便器３ａ，３ａへの洗滌水の供給を停止する。この場合、第１グループ３０に属する（配水管８ａに連通する）小便器３は２基なので、３リットルずつの洗滌水が１つの小便器３ａに供給されることとなる。
【００２０】
次に、ステップＳ１０３では、制御装置２０は、水圧検出部６０からの信号に基づき、給水部７側の水圧が所定圧値以上であるか否かを判断する。水圧が所定圧値以上である場合はステップＳ１０４に移行し、水圧が所定圧値未満の場合はステップＳ１０５に移行する。ステップＳ１０４では、予め設定された時間ｔ（例えば１分）が経過したか否かを判断し、肯定枝はステップＳ１０６に移行し、否定枝はステップＳ１０４を循環する。
【００２１】
また、ステップＳ１０５では、予め設定された、時間ｔよりも長い時間Ｔ（例えば３分）が経過したか否かを判断し、肯定枝はステップＳ１０６に移行し、否定枝はステップＳ１０５を循環する。
【００２２】
そして、ステップＳ１０６では、制御装置２０は、前記第１グループ３０のときと同様に、第２制御弁ユニット２１の第２電磁弁２２に指示信号を出力し、第２電磁弁２２を開放して、配水本管７の洗滌水を、配水管９ａから配水分岐管９ｂ、９ｂを通して、第２グループ４０の２つの小便器３ｂ，３ｂに供給する。この際、制御装置２０は、第２制御弁ユニット２１の第２流量検出部２３からの信号に基づき、所定流量（例えば６リットル）が第２制御弁ユニット２１を通過したと判断したときに、第２電磁弁２２を閉鎖して、小便器３ｂ，３ｂへの洗滌水の供給を停止する。この場合も、第２グループ４０に属する（配水管９ａに連通する）小便器３は２基なので、３リットルずつの洗滌水が１つの小便器３ｂに供給されることとなる。
【００２３】
そして、ステップＳ１０６の後段は、ステップＳ１０１の循環ルーチンとなる。
このように本実施形態の小便器用洗滌システムによれば、設置された複数の小便器全体が、一度に洗滌されることはないので、給水部７側の水圧が極端に低下することはなく、その他の水を使用する設備に不都合が生ずる虞れを抑制することができる。
【００２４】
また、一のグループと、他のグループ間の洗滌待機時間は、給水部７側の水圧に応じて変更することができるので、水圧が低い場合に小便器の洗滌水が使用される確率を、単位時間当たりの小便器の洗滌回数は減らすことなく、大幅に低減することができる。
【００２５】
なお、小便器は、一のグループに１基のみ、あるいは３基以上属することにしてもよいし、小便器のグループ分けは、２グループに限らず、３グループ以上の任意のグループ数とすることもできる。
【００２６】
また、本実施形態では、所定時間毎に小便器の洗滌が行われるようにしたが、例えば利用者数が少ない時間帯には、単位時間当たりに同一の小便器を洗滌する回数を少なく設定してもよい。
【００２７】
また、トイレ施設の入り口に人センサを設けるとともに、制御装置２０に人センサからの信号を出力し、トイレ施設を利用する人数に応じて、単位時間当たりに同一の小便器（同一のグループ）を洗滌する回数を変化させるようにしてもよい。
【００２８】
さらに、一小便器に対して一回当たりの洗滌に使用する水量は、洗滌回毎に変化させるようにしてもよい。すなわち、本システムにて、一回目の洗滌では３リットルの水量を使用し、２回目では１．５リットルの水量を使用し、３回目の洗滌では３リットルの水量を使用するといったように、清潔感、清涼感を充分保ちながら、より節水効果に優れた設定にすることもできる。
【００２９】
また、水圧検出部６０は、その他の水使用施設（例えば女子トイレ）の配水系上に設けるようにしてもよい。
【００３０】
【発明の効果】
本発明によれば、節水効果に優れた小便器用洗滌システムを提供することができる。
【００３１】
また、給水系統全体の圧力低下を防止する小便器用洗滌システムを提供することができる。
【図面の簡単な説明】
【図１】本発明の一実施形態である小便器用洗滌システムの全体構成を示す図
【図２】実施形態の制御装置を中心とした制御フローを示す図
【符号の説明】
３  小便器
７  給水部
８ａ  配水管
８ｂ  配水分岐管
９ａ  配水管
９ｂ  配水分岐管
１１  第１制御弁ユニット
１２  第１電磁弁
１３  第１流量検出部
２０  制御装置
２１  第２制御弁ユニット
２２  第２電磁弁
２３  第２流量検出部
３０  第１グループ
４０  第２グループ
【図１】
0004332288.tif 000002
【図２】
0004332288.tif 000003